(57)【要約】本発明は、駆動ユニットにより回転軸線（３）の周りに回転駆動しかつ、第１時針（１）を支持する第１時針歯車（１６）と、ばね弾性キャッチ連結部を介して第１時針歯車（１６）に結合し、かつ第１時針歯車（１６）によって第２回転軸線１３の周りに回転駆動される第２時針歯車（２６）とを備え、第２時針（１１）を第２時針歯車（２６）によって回転駆動する時計に関するものである。この時計は、さらに、手動調整可能であり、駆動歯車を支持する調整軸（６２）を設け、この調整軸（６２）により２個の時針歯車（１６，２６）の双方を、一緒にまたは個別に調整可能とする。第１時針歯車（１６）を駆動歯車によって調整可能とするとともに、第２時針歯車、または第２時針（１１）を支持する第３時針管（２６）を手動操作可能な遮断装置によって、遮断可能とする。
2008532024.tif 000002
【特許請求の範囲】
【請求項１】
第１回転軸線の周りに回転駆動可能な、第１時針を支持する第１時針歯車と、
ばね負荷した係止連結部により前記第１時針歯車に連結しかつこの第１時針歯車により第２回転軸線の周りに回転駆動可能な第２時針歯車であって、第２時針を回転駆動可能な該第２時針歯車と、
駆動歯車を支持し、手動で回転可能な調整軸と
を有し、前記調整軸により、前記双方の時針歯車を一緒に、ならびにどちらか一方の時針歯車のみ調整可能にした時計において、
前記駆動歯車によって前記第１時間歯車（１６）を調整可能とし、手動操作可能な遮断装置によって、前記第２時針歯車、または前記第２時針（１１）を支持する第３時針管（２６）を遮断可能とした
ことを特徴とした時計。
【請求項２】
前記第２時針管（２６）を、遮断装置が作動することで、一方の回転方向には遮断可能に、他方の回転方向には前記第１時間歯車車（１６）により自由に回転駆動可能とした請求項１記載の時計。
【請求項３】
前記第２時針管（２６）を、時計回りの回転方向には、前記第１時間歯車（１６）により自由に回転駆動可能に、反時計回りの回転方向には、前記遮断装置により遮断可能とした請求項２記載の時計。
【請求項４】
前記第１回転軸線および前記第２回転軸線を同軸状に設けた請求項１〜３のいずれか１項に記載の時計。
【請求項５】
前記第１回転軸線（３）および前記第２回転軸線（１３）を互いに平行に設け、前記第１時間歯車（１６）の回転運動を、伝達歯車群（２２）により前記第２時間歯車（２６）に伝達可能とした請求項１〜３のいずれか１項に記載の時計。
【請求項６】
前記遮断装置に、回転を防止する遮断つめ（３５）を設け、この遮断つめ（３５）は、前記第３時針管（２６）に固着した歯車（３０）の歯間における隙間、または前記第２時間歯車（２６）と連結した第１歯車連鎖（３３）の他の歯車（３４）における歯間の隙間に噛合させた請求項１〜５のいずれか１項に記載の時計。
【請求項７】
前記遮断つめ（３５）を回動軸線の周りに回動可能とし、また、前記遮断装置のレバー軸線（３８）の周りに回動可能な伝達レバー（３７）により、前記歯車（３０）または前記他の歯車（３４）から離脱する方向に、ばね（３６）の力に対抗して押圧される構成とした請求項１〜６のいずれか１項に記載の時計。
【請求項８】
前記伝達レバー（３７）を、手動操作可能なボタン機構により、回動可能に押圧可能とした請求項７に記載の時計。
【請求項９】
周方向に延在するスプロケット（５３）を設けたタイムゾーンリング（１５）を、手動操作可能な調整機構により特に２４個あるタイムゾーンステップで調整可能とした請求項１〜８のいずれか１項に記載の時計。
【請求項１０】
前記調整機構を、手動操作可能な前記ボタン機構により調整可能とした請求項８または９に記載の時計。
【請求項１１】
前記調整機構に、回動駆動可能なつめ（４７）を設け、このつめ（４７）により、前記タイムゾーンリング（１５）の前記スプロケット（５３）に噛み合う調整歯車（５２）を回転駆動可能とした請求項９または１０に記載の時計。
【請求項１２】
前記タイムゾーンリング（１５）を、つめ（４７）の旋回ストロークごとに、タイムゾーンステップ１個分調整可能とした請求項１１に記載の時計。
【請求項１３】
前記タイムゾーンリング（１５）の前記スプロケット（５３）に１９２個の歯を、前記調整歯車（５２）に３２個の歯を設け、前記つめ（４７）のストローク毎に、前記調整歯車（５２）を８歯分回転駆動可能とした請求項１２に記載の時計。
【請求項１４】
前記調整歯車（５２）を十字星形歯車（４８）に同軸状に固着し、この十字星形歯車（４８）は前記つめ（４７）のストローク毎に９０゜回動押圧可能とした請求項１１〜１３のいずれか１項に記載の時計。
【請求項１５】
係止体を、前記十字星形歯車（４８）の隙間に噛み合って前記十字星形歯車（４８）の休止位置を規定するよう、ばね押圧される構成とした請求項１４に記載の時計。
【請求項１６】
タイムゾーンピニオン（５４）を、前記タイムゾーンリング（１５）の前記スプロケット（５３）に噛合させ、前記スプロケット（５３）によりタイムゾーンステップ１個分駆動すると、クラッチを介してタイムゾーンドライブ（５８）を回転駆動可能にし、このタイムゾーンドライブ（５８）は、直接またはタイムゾーン駆動連鎖を介して前記第２時間歯車（２６）に連結し、この前記第２時間歯車（２６）を１時間分調節してずらす請求項１〜１５のいずれか１項に記載の時計。
【請求項１７】
前記タイムゾーンドライバ（５８）の歯を、前記歯車連鎖の前記他の歯車（３４）の歯に噛合させた請求項１６に記載の時計。
【請求項１８】
第１昼夜歯車（６１）は、前記第１時間歯車（１６）により２４時間で一回転する回転駆動を可能とし、これにより第１指示シンボル（８）、特に第１昼夜指針を回転駆動とし、昼夜目盛（７）において、午前および午後のどちらであるかを指し示すようにした請求項１〜１７のいずれか１項に記載の時計。
【請求項１９】
前記第１昼夜歯車（６１）は、第２歯車連鎖を介して前記第１時間歯車（１６）により回転駆動可能とした請求項１８に記載の時計。
【請求項２０】
前記第２時間歯車（２６）により、第２昼夜歯車は２４時間で一回転する回転駆動を可能とし、第２指示シンボル（１８）、特に第２昼夜指針を回転駆動可能とし、これにより第２昼夜目盛（１７）において、午前時間および午後時間のどちらであるかが指し示されるようにした請求項１〜１９のいずれか１項に記載の時計。
【請求項２１】
前記第２昼夜歯車を、前記第１歯車連鎖（３３）を介して、前記第２時間歯車（２６）により回転駆動可能とした請求項２０に記載の時計。
【請求項２２】
前記第１歯車連鎖における前記他の歯車（３４）を、前記第２昼夜歯車とした請求項２１に記載の時計。
【発明の詳細な説明】
【技術分野】
【０００１】
本発明は、回転軸線の周りに回転駆動可能な、第１時針を支持する第１時間歯車と、ばね負荷した係止連結部により第１時間歯車に連結しかつ第１時間歯車により第２回転軸線の周りに回転駆動可能な第２時間歯車であって第２時針を回転駆動可能な該第２時針歯車と、および、駆動歯車を支持し、手動で回転可能な調整軸とを有し、調整軸により、双方の時間歯車を一緒に、ならびに時間歯車のどちらか一方のみ調整可能にした時計に関するものである。
【背景技術】
【０００２】
このような時計において、第１時針も第２時針と同じ位置に設定できるようにするためには、第２時針用の、タイムゾーンリングから独立した調整装置が必要となる。これは、調整軸が第３位置にあるときに可能である。第１位置においては時計のぜんまいを巻くことができ、第２位置においては、指針全体の設定ができ、第３位置においては、タイムゾーンリングから独立した第２時針の調整ができる。
【０００３】
このような時計の欠点としては、調整軸の可動範囲が小さいために、目的の位置とは違う位置に移行し易く、本来所望していたものとは違う調整がなされてしまいやすい点にある。しかも、タイムゾーン機構を、調整軸の位置設定が単に２個でよい基本機構には統合できない。
【発明の開示】
【発明が解決しようとする課題】
【０００４】
したがって、本発明の課題は、請求項１前段に記載する特徴を備えた時計において、簡単な構造をもって、第１時針の個別調整が可能である時計を得ることにある。
【課題を解決するための手段】
【０００５】
この課題は、駆動歯車によって第１時間歯車を調整可能とし、手動操作可能な遮断装置によって第２時間歯車車、または第２時針を支持する第３時針管を遮断可能とすることで達成される。
【発明の効果】
【０００６】
このとき第１時間歯車は、間接的に第２時間歯車、または第２時針を支持する第３時針管を駆動することができる。例えば双方の時間歯車の共通駆動も、双方の時刻表示における分針歯車の共同駆動連鎖によって行うことができる。
【０００７】
本発明によれば、他のタイムゾーンの時刻表示を司る第２時針を調整することなく、第１時針を調整することによって簡単に行うことができる。
【発明を実施するための最良の形態】
【０００８】
さらに第２時針管は、遮断装置が作動すると、一方の回転方向には遮断可能に、他方の回転方向には第１時間歯車により自由に回転駆動可能とすることができ、好適には第２時針管は、時計回りの回転方向には、第１時間歯車により自由に回転駆動可能に、反時計回りの回転方向には遮断装置により遮断できる構成にする。
【０００９】
また、第１回転軸線および第２回転軸線を同軸状に設けることもできる。
【００１０】
双方の異なるタイムゾーンの時刻を、互いに同心でない目盛上で表示するならば、第１回転軸線および第２回転軸線を互いに平行に設け、第１時間歯車の回転運動を、伝達歯車群により第２時間歯車に伝達可能とすることもできる。
【００１１】
回転を防止する遮断つめを遮断装置に設け、この遮断つめを、第３時針管に固着した歯車の歯間における隙間、または第２時間歯車と連結した第１歯車連鎖の他の歯車における歯間の隙間に噛合せせることで、第２時間歯車を簡単に遮断できる。
【００１２】
さらに、遮断つめを回動軸線の周りに回動可能とし、遮断装置のレバー軸線の周りに回動可能な伝達レバーにより、歯車または他の歯車から離脱する方向に、ばねの力に対抗して押圧される構成とすることもできる。
【００１３】
伝達レバーを、手動操作可能なボタン機構により、回動可能に押圧可能とすると、好適に簡単に作動できる。
【００１４】
第２時刻表示に加えて、第２時刻表示にあわせたタイムゾーンを表示するために、周方向にスプロケットを設けたタイムゾーンリングを、手動操作可能な調整機構により、とくに２４個のタイムゾーンステップで、調整可能とすることもできる。
【００１５】
このとき、調整機構を、手動操作可能なボタン機構とすると、少ない部品でコンパクトに構成可能である。
【００１６】
このとき調整機構には、回動駆動可能なつめを設け、タイムゾーンリングのスプロケットに噛み合う調整歯車は、このつめにより回転駆動可能とし、タイムゾーンリングはつめの旋回ストローク毎に、タイムゾーンステップ１個分調整可能とすることもできる。
【００１７】
さらに、好適には、タイムゾーンリングのスプロケットに１９２個の歯を、調整歯車に３２個の歯を設け、調整歯車は、つめのストローク毎に８歯分、つめにより回転駆動可能とする。
【００１８】
調整歯車を十字星形歯車に同軸状に固着し、この十字星形歯車は、つめのストローク毎に９０゜、つめにより回動押圧可能とすると、調整歯車は簡単な方法で駆動できる。
【００１９】
つめが十字星形歯車を完全にその新しい位置にまで動かさずに、しかし十字星形歯車が正確にその新しい位置に定まるようにするために、係止体は、十字星形歯車の隙間に噛み合って十字星形歯車の休止位置を規定するよう、ばね押圧される構成とすることもできる。
【００２０】
タイムゾーンリングの調整と同時に第２時針も調整できるように、好適にはタイムゾーンピニオン（５４）を、タイムゾーンリングのスプロケットに噛合させ、スプロケットによりタイムゾーンステップ１個分駆動すると、クラッチを介してタイムゾーンドライバ回転駆動可能にし、このタイムゾーンドライバは、直接またはタイムゾーン駆動連鎖を介して第２時間歯車に連結し、この第２時間歯車を１時間分調節してずらす構成とする。
【００２１】
これは、タイムゾーンドライバの歯を、歯車連鎖における他の歯車の歯に噛合させることで、１つの部品を兼用できる。
【００２２】
第１時針の回転が、昼夜のどちらの時間を指し示しているのか１２時間ごとに分かるように、第１昼夜歯車は、第１時間歯車により２４時間で一回転する回転駆動を可能にし、これにより第１指示シンボル、特に第１昼夜指針を回転駆動可能とし、昼夜目盛において、午前および午後のどちらであるかを指し示し、また、第１昼夜歯車は、第２歯車連鎖を介して第１時間歯車により回転駆動可能とすることができる。
【００２３】
同じ理由で、第２時間歯車により、第２昼夜歯車は２４時間で一回転する回転駆動を可能とし、第２指示シンボル、特に第２昼夜指針を回転駆動可能とし、これにより第２昼夜目盛において、午前時間および午後時間のどちらであるかが指し示され、また、第２昼夜歯車を、第１歯車連鎖を介して、第２時間歯車により回転駆動可能とすることができる。
【００２４】
このとき、複合用途のため、第１歯車連鎖における他の歯車を、第２昼夜歯車とすることができる。
【実施例】
【００２５】
図１に示す円形の文字盤１０に設けた第１時針１および第１分針２は、図示しない時計機構によって、第１指針軸線３の周りに回転駆動可能に取り付け、これら指針の尖端が、文字盤１０の中央の左方領域に設けた第１円形目盛４を通過して進む構成とする。
【００２６】
第１円形目盛４の６時ポジション には、小さな秒目盛５を設け、秒針６がこれを通過して進む。
【００２７】
第１円形目盛４の１２時ポジションには、円形の第１昼夜目盛７を設け、回動可能な指針的な第１指示シンボル８がこれを指して動く。
【００２８】
文字盤１０の右上方領域には、日付表示用の二連窓９を設ける。
【００２９】
文字盤１０の右下方領域には、第２時針１１および第２分針１２を取り付け、これらは第２指針軸線１３の周りに回転駆動可能に取り付け、それら指針の尖端が第２円形目盛１４を通過して進む構成とする。
【００３０】
第２円形目盛１４の左方に、部分的にオーバーラップする状態で、第２昼夜目盛１７を設け、指針的な第２指示シンボル１８がこれを指して動く。
【００３１】
全体的な文字盤１０の周囲をタイムゾーンリング１５により包囲し、このリングには２４個のタイムゾーンを等間隔に、各タイムゾーンを代表する都市名として記す。
【００３２】
第１時針１は、第１時針歯車１６を支持する第１時針管１９に装着する。第１時針管１９内には、第１分針軸２０を同心状に配置し、この第１分針軸２０に第１分針２を支持し、また第１分針軸２０に対して分針駆動部２１を同心状に取り付ける。
【００３３】
第１時針用歯車１６は、時計機構で駆動する分針駆動部２１により、交互駆動部６６を介して駆動し、この分針駆動部２１により、第１分針軸２０および伝達歯車群２２を介し、第２分針軸２４も駆動し、この第２分針軸２４は第２分針１２を支持する。
【００３４】
第２分針軸２４は、第２時針管２５に同心状に配置し、この第２時針管２５により第２時針歯車２３を支持し、またこの第２時針管２５に対して、ばね係止連結部を介し、同軸状の第３時針管２６を連結し、この第３時針管２６に第２時針１１を支持する。第２時針歯車２３の駆動は、交互駆動部２７を介し第２分針軸２４によって生ずる。
【００３５】
係止連結部には、第２時針歯車２３に、第２指針軸線１３に平行な軸の周りに回動可能に取り付けた係止レバー２８を設け、この係止レバー２８の係止部３１を、ばね２９によって、第３時針管２６に固着した１２個の歯を有する歯車３０の歯間隙間に係合させる。
【００３６】
ばね２９の力に対抗して、係止部３１は一時的に噛み合っている歯車３０の隙間から離脱でき、隣接する隙間に噛み合うことができる。
【００３７】
さらに第３時針管２６には、歯車連鎖３３における２３個の歯を有する歯車３２を固着し、この歯車３２はその歯で、歯車連鎖３３の、４６個の歯を有する構成である他の歯車３４の歯と噛み合う。この他の車３４には、第２指示シンボル１８を有するディスクも支持する。
【００３８】
この他の歯車３４の回転軸に平行な回動軸の周りに回動可能である遮断つめ３５は、他の歯車３４の歯間における隙間に、ばね３６に押圧され嵌まり込むことができ、またこの他の歯車３４が反時計回りに回転運動するのをブロックする。しかし、時計回りの回転運動は引き続き可能にする。
【００３９】
レバー軸線３８の周りに回動可能に取り付けた２アーム構成の伝達レバー３７は、その第１レバーアーム３９の遊端で遮断つめ３５を押圧し、ばね３６の力に対抗して他の歯車３４との噛み合いから離脱させることができる。
【００４０】
第２レバーアーム４０の遊端に構成した長孔状の連結リンク４１を設け、この連結リンク４１には調整ピン４２が入り込み、この調整ピン４２は、修正レバー軸線４３の周りに回動可能な修正レバー４４に取り付ける。修正レバー４４は、手動で操作するボタン４５により、修正レバーばね６５の力に抗して、図３に示す通常位置から、操作位置へと移動可能である。これにより、修正レバー４４および伝達レバー３７が回動し、遮断つめ３５が解放され、またばね３６に押圧されて他の歯車３４の歯間における隙間に噛み合い、その反時計回りの回転運動を遮断する。
【００４１】
ボタン４５を手動で押圧するのを止めると、遮断つめ３５は再び他の歯車３４との噛み合いから離脱するように動く。
【００４２】
調整ピン４２はさらに、軸の周りに回動可能に設けたつめ４７の長孔４６も噛み合う。
【００４３】
ボタン４５を操作すると、つめ４７も回動可能に駆動し、回転可能に取り付けた十字星形歯車４８との非噛み合い位置から、噛み合い調整位置へと移行する。このとき、ばねに押圧されて十字星形歯車４８の隙間に噛み合った係止体４９が、この隙間から外れて隣接する隙間領域に到達するまで、十字星形歯車４８はつめ４７により時計回りに回転する。ばねによりこの隣接する隙間に噛み合うことによって、十字星形歯車４８は完全に９０゜進んだ位置に回転し、この位置に保持される。
【００４４】
係止体４９は、回動可能に取り付けた係止体レバー５０に取り付け、この係止体レバー５０は、ばね５１により噛み合い方向に押圧される。
【００４５】
３２歯構成の調整歯車５２を、十字星形歯車４８と同軸状に連結し、この調整歯車５２は、タイムゾーンリング１５のスプロケット５３の歯と噛み合う。このタイムゾーンリング１５は回転可能に取り付け、スプロケット５３の１９２個の歯は半径方向内方に指向する。
【００４６】
十字星形歯車４８が９０゜回転することで、調整歯車５２を介して、スプロケット５３が８個分の歯にわたり動き、つまりタイムゾーンリング１５がタイムゾーン１個分動いたことになる。
【００４７】
スプロケット５３には、さらに、回転可能に取り付けたタイムゾーンピニオン５４の歯が噛み合い、このタイムゾーンピニオン５４は、スプロケット５３による駆動で、タイムゾーンドライブ５８に固着したクラッチホイール５７を回転する。
【００４８】
時計装置による駆動の際には、タイムゾーンピニオン５４とタイムゾーンドライブ５８とは互いに離脱する。
【００４９】
さらにタイムゾーンドライブ５８は他の歯車３４と噛み合うため、この他の歯車３４は、ボタン４５により操作したつめ押しストロークにおいて、タイムゾーン１個分を時計回りに、それゆえ遮断つめ３５によって妨害されることなく回転する。この動きは、他の歯車３４および歯車連鎖３３から、歯車３２へと伝達され、第３時針管２６がタイムゾーン１個分にわたり回転する。このとき、係止部３１は、歯車３０における歯間の隙間から外れ、これに隣接する歯間の隙間に噛み合う。第１時針歯車１６の他に、第１時針管１９には、２３歯構成の歯車５９を固着し、この歯車５９は、２３歯構成の中間歯車６０を介して、第１指示シンボル８を有するディスクを支持する４６歯構成の昼夜歯車６１を駆動する。
【００５０】
指示シンボル８および１８は、昼夜目盛り７および１７において、それぞれ異なる表示形態の昼または夜の領域を指し示す。
【００５１】
時計に設けた調整軸（巻真）６２は、その外部に突出する端部にリューズ（竜頭）６３を設け、部に突出する端部には図示しない駆動歯車を設ける。
【００５２】
調整軸（巻真）６２は２つの位置において軸線方向に移動可能である。半径方向内方に押し込んだ位置において、調整軸は、時計の巻上げ用の調整軸として作用する。
【００５３】
調整軸（巻真）６２を半径方向外方に引き出した位置において、駆動歯車は第１分針軸２０と噛み合う。これにより、リューズ６３、つまり調整軸（巻真）６２が回転すると、指針１，２，１１，１２および指示シンボル８，１８の全てを同時に、進めたり戻したり調整できる。
【００５４】
常時係合状態にある伝達歯車群２２によって、第１分針２および第２分針１２は指針の調整においても、常に同期して駆動される。
【００５５】
第２時針１１は、ボタン４５を操作する毎に、時間ステップおよび、つまりタイムゾーンステップ分だけ時計回りに進み、同時にタイムゾーンリング１５はタイムゾーンステップ分だけ進む。このとき、第２円形目盛１４内に取り付けたインデックス６４は、それぞれセットしたタイムゾーンを指し、第２時針１１はこのタイムゾーンの時刻を指す。第２指示シンボル１８は、第２昼夜目盛１７を指し、午前と午後のどちらの時刻を表示しているのかが見て取れる。
【００５６】
第２時針１１を他のタイムゾーンに設定しても、第１時針１は変更されずにとどまる。
【００５７】
第１時針１があるタイムゾーンに設定されると、ボタン４５を押すことで、タイムゾーンリング１５はインデックス６４で示される所望の位置に来るまで移動される。この位置に到達するまで、ボタン４５は押されたままで、リューズ６３を外方に引き出し、第１時針１が第２時針１１と、また第１指示シンボル８が第２指示シンボル１８と合致するまで、指針を反時計回りに調整回転する。この過程において、分針２および２２の双方、第１時針１、および第１指示シンボル８が回転する。これに対し、第２時針１１および第２指示シンボル１８は動かずにとどまる。
【００５８】
ボタン４５が再び操作されなくなると、リューズ６３を回すと、時針１１および指示シンボル１８は再び一緒に駆動される。
【図面の簡単な説明】
【００５９】
【図１】本発明時計の文字盤およびタイムゾーンリングを示す線図的説明図である。
【図２】図１に示す本発明時計の指針駆動および調整メカニズムの平面図である。
【図３】図１に示す本発明時計の指針駆動および調整メカニズムにおける第２の平面での平面図である。
【図４】図２に示す本発明時計の第１時針領域における指針駆動および調整メカニズムの縦断面図である。
【図５】図２に示す本発明時計の第２時針領域における指針駆動および調整メカニズムの縦断面図である。
【符号の説明】
【００６０】
１  第１時針
２  第１分針
３  第１指針軸線
４  第１円形目盛
５  秒目盛
６  秒針
７  第１昼夜目盛
８  第１指示シンボル
９  二連窓
１０  文字盤
１１  第２時針
１２  第２分針
１３  第２指針軸線
１４  第２円形目盛
１５  タイムゾーンリング
１６  第１時針歯車
１７  第２昼夜目盛
１８  第２指示シンボル
１９  第１時針管
２０  第１分針軸
２１  分針駆動部
２２  伝達歯車群
２３  第２時針歯車
２４  第２分針軸
２５  第２時針管
２６  第３時針管
２７  交互駆動部
２８  係止レバー
２９  ばね
３０  歯車
３１  係止部
３２  歯車
３３  歯車連鎖
３４  他の歯車
３５  遮断つめ
３６  ばね
３７  伝達レバー
３８  レバー軸線
３９  第１レバーアーム
４０  第２レバーアーム
４１  連結リンク
４２  調整ピン
４３  修正レバー軸線
４４  修正レバー
４５  ボタン
４６  長孔
４７  つめ
４８  十字星形歯車
４９  係止体
５０  係止体レバー
５１  ばね
５２  調整歯車
５３  スプロケット
５４  タイムゾーンピニオン
５７  クラッチホイール
５８  タイムゾーンドライブ
５９  歯車
６０  中間歯車
６１  昼夜歯車
６２  調整軸（巻真）
６３  リューズ（竜頭）
６４  インデックス
６５  修正レバーばね
６６  交互駆動部
【図１】
2008532024.tif 000003
【図２】
2008532024.tif 000004
【図３】
2008532024.tif 000005
【図４】
2008532024.tif 000006
【図５】
2008532024.tif 000007
【国際調査報告】
2008532024.tif 000008
2008532024.tif 000009
2008532024.tif 000010
2008532024.tif 000011
2008532024.tif 000012
2008532024.tif 000013